(57)【要約】【課題】無駄な位置登録処理を規制することが可能なフェムトセル用基地局を提供する。【解決手段】フェムトセル用基地局（Femto AP）は、UEから位置登録要求を受け付けた場合に、UEに関する情報に応じて、再度の位置登録をUEに促す第１のメッセージをUEに送信すべきか、マクロ網側への迂回をUEに促す第２のメッセージをUEに送信すべきか、位置登録要求に応じる旨をUEに促す第３のメッセージをUEに送信すべきか、を判断し、第１のメッセージと、第２のメッセージと、第３のメッセージと、の何れかのメッセージをUEに送信する。【選択図】図１
2010251861.tif 000002
【特許請求の範囲】
【請求項１】
UE（User Equipment）から送信されるメッセージを受け付けるフェムトセル用基地局であって、
前記UEから位置登録要求を受け付けた場合に、前記UEに関する情報に応じて、再度の位置登録を前記UEに促す第１のメッセージを前記UEに送信すべきか、マクロ網側への迂回を前記UEに促す第２のメッセージを前記UEに送信すべきか、位置登録要求に応じる旨を前記UEに促す第３のメッセージを前記UEに送信すべきか、を判断し、前記第１のメッセージと、前記第２のメッセージと、前記第３のメッセージと、の何れかのメッセージを前記UEに送信する送信手段を有することを特徴とするフェムトセル用基地局。
【請求項２】
前記第２のメッセージを送信する前記UEを特定するための規制情報を管理する管理手段を有し、
前記送信手段は、
前記UEから位置登録要求を受け付けた場合に、前記管理手段を参照し、前記UEに関する情報が前記規制情報に該当する場合は、前記第２のメッセージを前記UEに送信することを特徴とする請求項１記載のフェムトセル用基地局。
【請求項３】
前記送信手段は、
前記UEに関する情報が前記規制情報に該当しない場合は、前記UEに関する情報を、コアネットワーク側に送信し、前記コアネットワーク側から受け付けたメッセージが認証失敗のメッセージである場合は、前記第１のメッセージを前記UEに送信し、リクエストエラーメッセージである場合は、前記第２のメッセージを前記UEに送信し、成功応答のメッセージである場合は、前記第３のメッセージを前記UEに送信することを特徴とする請求項２記載のフェムトセル用基地局。
【請求項４】
前記管理手段は、
IMSI帯の少なくとも一部の情報を用いて前記規制情報を管理することを特徴とする請求項２または３記載のフェムトセル用基地局。
【請求項５】
前記管理手段は、
IMSI帯の少なくとも一部の情報をホワイトリストとして管理し、
前記送信手段は、
前記UEに関するIMSIの情報が前記ホワイトリストの情報に該当する場合は、前記UEに関する情報が前記規制情報に該当しないと判断し、
前記UEに関するIMSIの情報が前記ホワイトリストの情報に該当しない場合は、前記UEに関する情報が前記規制情報に該当すると判断することを特徴とする請求項４記載のフェムトセル用基地局。
【請求項６】
HLR（Home Location Register）に登録されているUE（User Equipment）の加入者情報を取得し、該取得した前記UEの加入者情報を管理する管理装置であって、
前記UEから送信されるメッセージを受け付けるフェムトセル用基地局を介してコアネットワーク側の前記HLRに前記UEに関する情報が送信され、該HLRから受け付けた前記UEに関する情報を基に、前記UEの加入者情報が当該通信システムでは提供しないサービスに加入したユーザと判断した場合は、マクロ網側への迂回を前記UEに促すメッセージを前記フェムトセル用基地局から前記UEに送信するように制御する制御手段を有することを特徴とする管理装置。
【請求項７】
前記制御手段は、
リクエストエラーメッセージを前記フェムトセル用基地局に送信し、前記フェムトセル用基地局が前記リクエストエラーメッセージを受け付けた場合に、マクロ網側への迂回を前記UEに促すメッセージを前記フェムトセル用基地局から前記UEに送信するように制御することを特徴とする請求項６記載の管理装置。
【請求項８】
UE（User Equipment）の認証を行う認証装置であって、
前記UEから送信されるメッセージを受け付けるフェムトセル用基地局を介してコアネットワーク側に送信された前記UEに関する情報を基に、前記UEの認証を行い、前記UEの認証が失敗した場合は、認証失敗のメッセージを前記フェムトセル用基地局に送信し、再度の位置登録を前記UEに促すメッセージを前記フェムトセル用基地局から前記UEに送信するように制御することを特徴とする認証装置。
【請求項９】
UE（User Equipment）と、フェムトセル用基地局と、を少なくとも有する通信システムであって、
前記フェムトセル用基地局は、
前記UEから位置登録要求を受け付けた場合に、前記UEに関する情報に応じて、再度の位置登録を前記UEに促す第１のメッセージを前記UEに送信すべきか、マクロ網側への迂回を前記UEに促す第２のメッセージを前記UEに送信すべきか、位置登録要求に応じる旨を前記UEに促す第３のメッセージを前記UEに送信すべきか、を判断し、前記第１のメッセージと、前記第２のメッセージと、前記第３のメッセージと、の何れかのメッセージを前記UEに送信する送信手段を有することを特徴とする通信システム。
【請求項１０】
前記フェムトセル用基地局は、
前記第２のメッセージを送信する前記UEを特定するための規制情報を管理する管理手段を有し、
前記送信手段は、
前記UEから位置登録要求を受け付けた場合に、前記管理手段を参照し、前記UEに関する情報が前記規制情報に該当する場合は、前記第２のメッセージを前記UEに送信することを特徴とする請求項９記載の通信システム。
【請求項１１】
前記送信手段は、
前記UEに関する情報が前記規制情報に該当しない場合は、前記UEに関する情報を、コアネットワーク側に送信し、前記コアネットワーク側から受け付けたメッセージが認証失敗のメッセージである場合は、前記第１のメッセージを前記UEに送信し、リクエストエラーメッセージである場合は、前記第２のメッセージを前記UEに送信し、成功応答のメッセージである場合は、前記第３のメッセージを前記UEに送信することを特徴とする請求項１０記載の通信システム。
【請求項１２】
前記コアネットワーク側には、
前記UEの認証を行う認証装置と、HLR（Home Location Register）と、前記HLRに登録されている前記UEの加入者情報を取得し、該取得した前記UEの加入者情報を管理する管理装置と、を有し、
前記認証装置は、
前記フェムトセル用基地局を介してコアネットワーク側に送信された前記UEに関する情報を基に、前記UEの認証を行い、前記UEの認証が失敗した場合は、認証失敗のメッセージを前記フェムトセル用基地局に送信する手段を有し、
前記HLRは、
前記UEに関する情報を基に、前記UEの加入者情報が前記HLRに登録されているか否かを判断し、前記UEの加入者情報が前記HLRに登録されていない場合は、認証失敗のメッセージを前記フェムトセル用基地局に送信する手段を有し、
前記管理手段は、
前記HLRから受け付けた前記UEに関する情報を基に、前記UEの加入者情報が当該通信システムでは提供しないサービスに加入したユーザと判断した場合は、リクエストエラーメッセージを前記フェムトセル用基地局に送信する手段を有することを特徴とする請求項１１記載の通信システム。
【請求項１３】
UEから送信されるメッセージを受け付けるフェムトセル用基地局で行う制御方法であって、
前記UEから位置登録要求を受け付けた場合に、前記UEに関する情報に応じて、再度の位置登録を前記UEに促す第１のメッセージを前記UEに送信すべきか、マクロ網側への迂回を前記UEに促す第２のメッセージを前記UEに送信すべきか、位置登録要求に応じる旨を前記UEに促す第３のメッセージを前記UEに送信すべきか、を判断し、前記第１のメッセージと、前記第２のメッセージと、前記第３のメッセージと、の何れかのメッセージを前記UEに送信する送信工程を有することを特徴とする制御方法。
【請求項１４】
HLR（Home Location Register）に登録されているUE（User Equipment）の加入者情報を取得し、該取得した前記UEの加入者情報を管理する管理装置で行う制御方法であって、
前記UEから送信されるメッセージを受け付けるフェムトセル用基地局を介してコアネットワーク側の前記HLRに前記UEに関する情報が送信され、該HLRから受け付けた前記UEに関する情報を基に、前記UEの加入者情報が当該通信システムでは提供しないサービスに加入したユーザと判断した場合は、マクロ網側への迂回を前記UEに促すメッセージを前記フェムトセル用基地局から前記UEに送信するように制御する制御工程を有することを特徴とする制御方法。
【請求項１５】
UE（User Equipment）の認証を行う認証装置で行う制御方法であって、
前記UEから送信されるメッセージを受け付けるフェムトセル用基地局を介してコアネットワーク側に送信された前記UEに関する情報を基に、前記UEの認証を行い、前記UEの認証が失敗した場合は、認証失敗のメッセージを前記フェムトセル用基地局に送信し、再度の位置登録を前記UEに促すメッセージを前記フェムトセル用基地局から前記UEに送信するように制御する制御工程を有することを特徴とする制御方法。
【請求項１６】
UEから送信されるメッセージを受け付けるフェムトセル用基地局に実行させるプログラムであって、
前記UEから位置登録要求を受け付けた場合に、前記UEに関する情報に応じて、再度の位置登録を前記UEに促す第１のメッセージを前記UEに送信すべきか、マクロ網側への迂回を前記UEに促す第２のメッセージを前記UEに送信すべきか、位置登録要求に応じる旨を前記UEに促す第３のメッセージを前記UEに送信すべきか、を判断し、前記第１のメッセージと、前記第２のメッセージと、前記第３のメッセージと、の何れかのメッセージを前記UEに送信する送信処理を、コンピュータに実行させることを特徴とするプログラム。
【請求項１７】
HLR（Home Location Register）に登録されているUE（User Equipment）の加入者情報を取得し、該取得した前記UEの加入者情報を管理する管理装置に実行させるプログラムであって、
前記UEから送信されるメッセージを受け付けるフェムトセル用基地局を介してコアネットワーク側の前記HLRに前記UEに関する情報が送信され、該HLRから受け付けた前記UEに関する情報を基に、前記UEの加入者情報が当該通信システムでは提供しないサービスに加入したユーザと判断した場合は、マクロ網側への迂回を前記UEに促すメッセージを前記フェムトセル用基地局から前記UEに送信するように制御する制御処理を、コンピュータに実行させることを特徴とするプログラム。
【請求項１８】
UE（User Equipment）の認証を行う認証装置に実行させるプログラムであって、
前記UEから送信されるメッセージを受け付けるフェムトセル用基地局を介してコアネットワーク側に送信された前記UEに関する情報を基に、前記UEの認証を行い、前記UEの認証が失敗した場合は、認証失敗のメッセージを前記フェムトセル用基地局に送信し、再度の位置登録を前記UEに促すメッセージを前記フェムトセル用基地局から前記UEに送信するように制御する制御処理を、コンピュータに実行させることを特徴とするプログラム。
【発明の詳細な説明】
【技術分野】
【０００１】
本発明は、フェムトセル用基地局を用いて通信を行う技術に関するものである。
【背景技術】
【０００２】
近年、通信エリアの品質向上を図るべく、フェムトセル用基地局を導入した通信システムの開発が進められている。
【０００３】
フェムトセル用基地局は、半径数十メートル程度の狭い通信エリアをカバーする小型無線基地局であり、家庭やオフィス等の室内に設置し、室内の通信エリアをカバーすることを目的としている。これにより、既存のマクロセル用基地局がカバーできない通信エリアの通信品質を改善することを可能にしている。また、マクロセル用基地局のインフラ整備にコストをかけずに通信エリアをカバーすることを可能にしている。
【０００４】
今までは、家庭やオフィス等の室内にフェムトセル用基地局を設置し、特定の加入者ユーザ（UE；User Equipment）のみがフェムトセル用基地局（Femto網）を介してコアネットワーク側に接続するようなシステムの開発が行われていた（例えば、特許文献１、２参照）。
【先行技術文献】
【特許文献】
【０００５】
【特許文献１】特表２００９−５０４０４９号公報
【特許文献２】特表２００９−５０４０５１号公報
【発明の概要】
【発明が解決しようとする課題】
【０００６】
しかし、近年では、図１に示すように、公共施設等にフェムトセル用基地局（Femto AP）を設置し、特定の加入者ユーザ（UE）だけではなく、不特定多数の加入者ユーザ（UE）がフェムトセル用基地局（Femto AP）を介してコアネットワーク側に接続するようなシステムの開発が必要視されている。
【０００７】
但し、不特定多数の加入者ユーザ（UE）がフェムトセル用基地局（Femto AP）を介してコアネットワーク側に接続するようなシステムにおいては、IMS（IP Multimedia subsystem）で許容していない加入者ユーザ（UE）もフェムトセル用基地局（Femto AP）を介してコアネットワーク側に接続してしまうことになる。
【０００８】
この場合、コアネットワーク側のシステムでは、IMSで許容していない加入者ユーザ（UE）からの位置登録要求を受け付けた場合は、AUTH Failureのメッセージをフェムトセル用基地局（Femto AP）に送信することになる。
【０００９】
フェムトセル用基地局（Femto AP）は、AUTH Failureのメッセージをコアネットワーク側から受け付けた場合は、認証エラーのメッセージを加入者ユーザ（UE）に送信し、再度の位置登録を加入者ユーザ（UE）に促すことになる。その結果、加入者ユーザ（UE）は、再度の位置登録要求をフェムトセル用基地局（Femto AP）に行ってしまい、無駄な位置登録処理が繰り返し行われてしまうことになる。無駄な位置登録処理が繰り返し行われてしまうとシステム全体の負荷が増大し、IMSで許容している加入者ユーザ（UE）へのサービスにも支障が発生してしまうことになる。
【００１０】
このため、IMSで許容していない加入者ユーザに対しては、Macro網側への迂回を加入者ユーザ（UE）に促し、無駄な位置登録処理を規制する必要がある。
【００１１】
本発明は、上記事情に鑑みてなされたものであり、上述した課題である、無駄な位置登録処理を規制することが可能なフェムトセル用基地局、管理装置、認証装置、通信システム、制御方法及びプログラムを提供することを目的とする。
【課題を解決するための手段】
【００１２】
かかる目的を達成するために、本発明は、以下の特徴を有することとする。
【００１３】
＜フェムトセル用基地局＞
本発明にかかるフェムトセル用基地局は、
UEから送信されるメッセージを受け付けるフェムトセル用基地局であって、
前記UEから位置登録要求を受け付けた場合に、前記UEに関する情報に応じて、再度の位置登録を前記UEに促す第１のメッセージを前記UEに送信すべきか、マクロ網側への迂回を前記UEに促す第２のメッセージを前記UEに送信すべきか、位置登録要求に応じる旨を前記UEに促す第３のメッセージを前記UEに送信すべきか、を判断し、前記第１のメッセージと、前記第２のメッセージと、前記第３のメッセージと、の何れかのメッセージを前記UEに送信する送信手段を有することを特徴とする。
【００１４】
＜管理装置＞
本発明にかかる管理装置は、
HLR（Home Location Register）に登録されているUE（User Equipment）の加入者情報を取得し、該取得した前記UEの加入者情報を管理する管理装置であって、
前記UEから送信されるメッセージを受け付けるフェムトセル用基地局を介してコアネットワーク側の前記HLRに前記UEに関する情報が送信され、該HLRから受け付けた前記UEに関する情報を基に、前記UEの加入者情報が当該通信システムでは提供しないサービスに加入したユーザと判断した場合は、マクロ網側への迂回を前記UEに促すメッセージを前記フェムトセル用基地局から前記UEに送信するように制御する制御手段を有することを特徴とする。
【００１５】
＜認証装置＞
本発明にかかる認証装置は、
UE（User Equipment）の認証を行う認証装置であって、
前記UEから送信されるメッセージを受け付けるフェムトセル用基地局を介してコアネットワーク側に送信された前記UEに関する情報を基に、前記UEの認証を行い、前記UEの認証が失敗した場合は、認証失敗のメッセージを前記フェムトセル用基地局に送信し、再度の位置登録を前記UEに促すメッセージを前記フェムトセル用基地局から前記UEに送信するように制御することを特徴とする。
【００１６】
＜通信システム＞
本発明にかかる通信システムは、
UE（User Equipment）と、フェムトセル用基地局と、を少なくとも有する通信システムであって、
前記フェムトセル用基地局は、
前記UEから位置登録要求を受け付けた場合に、前記UEに関する情報に応じて、再度の位置登録を前記UEに促す第１のメッセージを前記UEに送信すべきか、マクロ網側への迂回を前記UEに促す第２のメッセージを前記UEに送信すべきか、位置登録要求に応じる旨を前記UEに促す第３のメッセージを前記UEに送信すべきか、を判断し、前記第１のメッセージと、前記第２のメッセージと、前記第３のメッセージと、の何れかのメッセージを前記UEに送信する送信手段を有することを特徴とする。
【００１７】
＜制御方法＞
本発明にかかる制御方法は、
UEから送信されるメッセージを受け付けるフェムトセル用基地局で行う制御方法であって、
前記UEから位置登録要求を受け付けた場合に、前記UEに関する情報に応じて、再度の位置登録を前記UEに促す第１のメッセージを前記UEに送信すべきか、マクロ網側への迂回を前記UEに促す第２のメッセージを前記UEに送信すべきか、位置登録要求に応じる旨を前記UEに促す第３のメッセージを前記UEに送信すべきか、を判断し、前記第１のメッセージと、前記第２のメッセージと、前記第３のメッセージと、の何れかのメッセージを前記UEに送信する送信工程を有することを特徴とする。
【００１８】
本発明にかかる制御方法は、
HLR（Home Location Register）に登録されているUE（User Equipment）の加入者情報を取得し、該取得した前記UEの加入者情報を管理する管理装置で行う制御方法であって、
前記UEから送信されるメッセージを受け付けるフェムトセル用基地局を介してコアネットワーク側の前記HLRに前記UEに関する情報が送信され、該HLRから受け付けた前記UEに関する情報を基に、前記UEの加入者情報が当該通信システムでは提供しないサービスに加入したユーザと判断した場合は、マクロ網側への迂回を前記UEに促すメッセージを前記フェムトセル用基地局から前記UEに送信するように制御する制御工程を有することを特徴とする。
【００１９】
本発明にかかる制御方法は、
UE（User Equipment）の認証を行う認証装置で行う制御方法であって、
前記UEから送信されるメッセージを受け付けるフェムトセル用基地局を介してコアネットワーク側に送信された前記UEに関する情報を基に、前記UEの認証を行い、前記UEの認証が失敗した場合は、認証失敗のメッセージを前記フェムトセル用基地局に送信し、再度の位置登録を前記UEに促すメッセージを前記フェムトセル用基地局から前記UEに送信するように制御する制御工程を有することを特徴とする。
【００２０】
＜プログラム＞
本発明にかかるプログラムは、
UEから送信されるメッセージを受け付けるフェムトセル用基地局に実行させるプログラムであって、
前記UEから位置登録要求を受け付けた場合に、前記UEに関する情報に応じて、再度の位置登録を前記UEに促す第１のメッセージを前記UEに送信すべきか、マクロ網側への迂回を前記UEに促す第２のメッセージを前記UEに送信すべきか、位置登録要求に応じる旨を前記UEに促す第３のメッセージを前記UEに送信すべきか、を判断し、前記第１のメッセージと、前記第２のメッセージと、前記第３のメッセージと、の何れかのメッセージを前記UEに送信する送信処理を、コンピュータに実行させることを特徴とする。
【００２１】
本発明にかかるプログラムは、
HLR（Home Location Register）に登録されているUE（User Equipment）の加入者情報を取得し、該取得した前記UEの加入者情報を管理する管理装置に実行させるプログラムであって、
前記UEから送信されるメッセージを受け付けるフェムトセル用基地局を介してコアネットワーク側の前記HLRに前記UEに関する情報が送信され、該HLRから受け付けた前記UEに関する情報を基に、前記UEの加入者情報が当該通信システムでは提供しないサービスに加入したユーザと判断した場合は、マクロ網側への迂回を前記UEに促すメッセージを前記フェムトセル用基地局から前記UEに送信するように制御する制御処理を、コンピュータに実行させることを特徴とする。
【００２２】
本発明にかかるプログラムは、
UE（User Equipment）の認証を行う認証装置に実行させるプログラムであって、
前記UEから送信されるメッセージを受け付けるフェムトセル用基地局を介してコアネットワーク側に送信された前記UEに関する情報を基に、前記UEの認証を行い、前記UEの認証が失敗した場合は、認証失敗のメッセージを前記フェムトセル用基地局に送信し、再度の位置登録を前記UEに促すメッセージを前記フェムトセル用基地局から前記UEに送信するように制御する制御処理を、コンピュータに実行させることを特徴とする。
【発明の効果】
【００２３】
本発明によれば、無駄な位置登録処理を規制することが可能となる。
【図面の簡単な説明】
【００２４】
【図１】本実施形態の通信システムのシステム構成例を示す図である。
【図２】位置登録規制の態様を説明するための図である。
【図３】White Listの設定例を説明するための図である。
【図４】正規ユーザの場合の位置登録規制を説明するための第１の図である。
【図５】正規ユーザの場合の位置登録規制を説明するための第２の図である。
【図６】正規ユーザの場合の位置登録規制を説明するための第３の図である。
【図７】国際ローミングユーザ（協定内、協定外）、プリペイドユーザ、MVNOユーザの場合の位置登録規制を説明するための図である。
【図８】解約ユーザの場合の位置登録規制を説明するための図である。
【図９】認証NGユーザの場合の位置登録規制を説明するための図である。
【図１０】VPNユーザ、ダブルナンバー（登録商標）ユーザの場合の位置登録規制を説明するための図である。
【発明を実施するための形態】
【００２５】
＜本実施形態の通信システムの概要＞
まず、図１を参照しながら、本実施形態の通信システムの概要について説明する。
【００２６】
本実施形態における通信システムは、
UE（User Equipment）と、フェムトセル用基地局（Femto AP）と、を少なくとも有する通信システムである。
【００２７】
フェムトセル用基地局（Femto AP）は、UEから位置登録要求（Location Update Request）を受け付けた場合に、UEに関する情報に応じて、再度の位置登録をUEに促す第１のメッセージ（Location Update Reject;CV#111）をUEに送信すべきか、マクロ網側への迂回をUEに促す第２のメッセージ（Location Update Reject;CV#15）をUEに送信すべきか、位置登録要求に応じる旨をUEに促す第３のメッセージ（Location Update Accept）をUEに送信すべきか、を判断し、第１のメッセージ（Location Update Reject;CV#111）と、第２のメッセージ（Location Update Reject;CV#15）と、第３のメッセージ（Location Update Accept）と、の何れかのメッセージをUEに送信する。
【００２８】
これにより、UEは、フェムトセル用基地局（Femto AP）から受け付けたメッセージに応じた位置登録処理を行うことになるため、IMSで許容していない加入者ユーザ（UE）に対しては、マクロ網側への迂回を加入者ユーザ（UE）に促し、無駄な位置登録処理を規制することが可能となる。以下、添付図面を参照しながら、本実施形態の通信システムについて詳細に説明する。
【００２９】
＜通信システムのシステム構成例＞
まず、図１を参照しながら、本実施形態の通信システムのシステム構成例について説明する。
【００３０】
本実施形態の通信システムは、既存3G網と、Femto IMS（IP Multimedia subsystem）網と、を有して構成する。
【００３１】
既存3G網は、公知の既存3G網であり、Macro網を構築する。既存3G網は、UE（User Equipment）と、Node-Bと、RNC（Radio Network Controller）と、MSC（Mobile Services Switching Centre）と、VLR（Visitor Location Register）と、HLR/AuC（Home Location Register/Authentication Centre）と、を有して構成する。既存3G網を構成するUE、Node-B、RNC、MSC、VLR、HLR/AuCは、3GPPに準拠した処理を行う装置であるため、具体的な処理動作については省略する。既存の3G網（通信システム）に利用されている技術については、例えば3GPP TS 33.234 V8.0.0（2007-12）等に開示されている。
【００３２】
Femto IMS網は、Femto AP（Access Point）と、PDG（Packet Data Gateway）と、AAA（Authentication Authorization Accounting）と、CSCF（Call Session Control Function）と、HSS（Home Subscriber Server)と、VLR（Visitor Location Register）と、を有して構成する。
【００３３】
Femto APは、半径数十メートル程度の狭い通信エリアをカバーする小型無線基地局である。
【００３４】
PDGは、メッセージを中継する装置である。
【００３５】
CSCFは、IMS網において中心的なノードとなる装置であり、SIP（Session Initiation Protocol）を用いたセッション制御、管理、認証、ルーティング等の機能を行う。
【００３６】
AAAは、UEとネットワーク間の認証処理を行う装置である。
【００３７】
HSSは、IMSで使用するUEの加入者情報を管理する装置である。
【００３８】
VLRは、UEの加入者情報を格納する装置である。HSSは、UEの加入者情報をHLR/AuCから取得し、その取得したUEの加入者情報をVLRに格納して管理する。
【００３９】
本実施形態の通信システムは、Femto APを公共施設等に設置し、特定の加入者ユーザ（UE）だけではなく、不特定多数の加入者ユーザ（UE）がFemto APを介してコアネットワーク側に接続することになる。
【００４０】
このため、本実施形態の通信システムは、IMS（IP Multimedia subsystem）で許容していない加入者ユーザ（UE）もFemto APを介してコアネットワーク側に接続してしまうことになる。このため、本実施形態の通信システムでは、IMS（IP Multimedia subsystem）で許容していない加入者ユーザ（UE）の位置登録規制を行う必要がある。
【００４１】
位置登録規制を行う対象の加入者ユーザ（UE）としては、以下のユーザが挙げられる。
国際ローミングユーザ（協定内、協定外）
プリペイドユーザ
MVNO（Mobile Virtual Network Operator）ユーザ
VPN（Virtual Private Network）ユーザ
ダブルナンバー（登録商標）ユーザ
解約済ユーザ（HLRから削除されたユーザ）
認証NG（AAAでの認証NG）ユーザ
【００４２】
本実施形態では、加入者ユーザ（UE）の位置登録規制を図２に示す態様で行う。
【００４３】
１：正規ユーザの場合は、位置登録規制を行わない。
【００４４】
２：国際ローミングユーザ（協定内、協定外）の場合は、IMSI（International Mobile Subscriber Identity）帯（番号）で区別できるため、Femto APのWhite List（ホワイトリスト）で位置登録規制を行う。本実施形態のWhite Listの設定例を図３に示す。本実施形態のWhite Listは、位置登録を許可するIMSI帯（番号）を管理し、Femto APは、White Listに該当するIMSI帯をコアネットワーク側に受け入れるように制御する。
【００４５】
図３に示すWhite Listの設定例の場合、440201〜は、『１』に該当し、440202〜は、『２』に該当し、440203〜は、『３』に該当し、440204〜は、『４』に該当するため、コアネットワーク側に受け入れるように制御する。『〜』の箇所は、任意の番号を意味する。
【００４６】
また、440205 123456789は、『５』に該当し、コアネットワーク側に受け入れるように制御し、440205 234567890は、何れにも該当しないため、コアネットワーク側に受け入れないように制御する。
【００４７】
また、440206 "1"23456789は、『６』に該当し、コアネットワーク側に受け入れるように制御し、440206 "2"34567890は、何れにも該当しないため、コアネットワーク側に受け入れないように制御する。
【００４８】
また、440207 "12"3456789は、『７』に該当し、コアネットワーク側に受け入れるように制御し、440207 "11"2345678、及び、440207 "21"2345678は、何れにも該当しないため、コアネットワーク側に受け入れないように制御する。
【００４９】
また、44020"8" 123456789は、何れにも該当しないため、コアネットワーク側に受け入れないように制御する。
【００５０】
本実施形態のFemto APは、図３に示すWhite Listを管理することで、White Listに該当しないIMSI帯をコアネットワーク側に受け入れないように制御することが可能となる。また、図３に示すWhite Listは、IMSI帯の一部の情報を用いて位置登録規制を行うため、Femto APで行う処理の負荷を緩和することができる。
【００５１】
３：プリペイドユーザ、MVNOユーザの場合は、IMSI帯で区別できるため、Femto APのWhite Listで位置登録規制を行う。
【００５２】
４：VPNユーザ、ダブルナンバーユーザの場合は、IMSI帯で区別できず、MAP-ISD（O-CSI）で区別できるため、HSSがMAP-Insert Subscriber Data invocationをHLR/AuCから受信したのを契機に、位置登録規制を行う。具体的には、HSSが、MAP Update Location invocationをHLR/AuCに送信した後に、MAP-Insert Subscriber Data invocationをHLR/AuCから受信したのを契機に、位置登録規制を行う。O-CSIは、Originating-CAMEL Subscription Informationであり、CAMELは、Customized Applications for Mobile Network Enhanced Logicである。
【００５３】
５：解約済ユーザの場合は、IMSI帯で区別できず、MAP-SAI（CS/PS）がErrorでコアネットワーク側から返送されてくるため、HSSがMAP-SAI ErrorをHLR/AuCから受信したのを契機に、位置登録規制を行う。CSは、Circuit Switchingであり、PSは、Packet Switchingである。
【００５４】
６：認証NGユーザの場合は、IMSI帯で区別できないため、AAAが認証NGと判断したのを契機に、位置登録規制を行う。
【００５５】
以下、上述した各態様の位置登録規制の処理動作について説明する。
【００５６】
＜正規ユーザの場合の位置登録規制＞
まず、図４〜図６を参照しながら、正規ユーザの場合の位置登録規制について説明する。本実施形態の通信システムでは、正規ユーザの場合は、位置登録規制を行わないように制御する。以下の説明では、CS（Circuit Switching）Location Update（IMSI）／Attachの処理動作を例に説明する。
【００５７】
UEが最後に位置登録した既存3G網のMSCとは異なるFemto IMS網のFemto AP配下のLA（Location Area）内（例えば、図１に示すLA#3）に移動すると、UEは、CSサービスの位置登録を開始する（初回位置登録）。以下、Femto AP配下のLA（Location Area）内（LA#3）に移動した際の処理動作について説明する。以下の説明では、Femto APとPDGとの間でIPsec Tunnel（1）が確立しているものとする（ステップS0）。
【００５８】
UEは、LAI（Location Area Information）の更新（normal location updating）を行う場合に、Location Update RequestをFemto APに送信する（ステップS1）。
【００５９】
Femto APは、Location Update Requestを受信した場合に、IDENTITY RequestをUEに送信する（ステップS2）。
【００６０】
UEは、IDENTITY Requestを受信した場合に、IDENTITY ResponseをFemto APに送信する（ステップS3）。UEは、IMSI.UEをIDENTITY Responseに含めて送信する。IMSI.UEは、UEを特定するための情報である。IMSI.UEは、正規ユーザである。
【００６１】
Femto APは、IDENTITY Responseを受信した場合に、IDENTITY Responseに含まれるIMSI.UEを基に、White Listを参照し、IMSI.UEがコアネットワーク側に受け入れるユーザに該当するか否かを判定する（ステップS4）。Femto APは、IMSI.UEがコアネットワーク側に受け入れるユーザに該当する場合は、IKE-SA-INIT RequestをPDGに送信する（ステップS5）。IKE-SA-INITは、Internet Key Exchange-Security Authentication-INITialiseである。
【００６２】
PDGは、IKE-SA-INIT Requestを受信した場合に、IKE-SA-INIT ResponseをFemto APに送信する（ステップS6）。
【００６３】
Femto APは、IKE-SA-INIT Responseを受信した場合に、Femto APとPDGとの間でIKE SAを確立する（ステップS7）。
【００６４】
次に、Femto APは、IKE-AUTH RequestをPDGに送信する（ステップS8）。Femto APは、APN（Access Point Name）と、NAI（Network Access Identifier）と、をIKE-AUTH Requestに含めて送信する。IKE-AUTHは、Internet Key Exchange-AUTHenticationである。APNは、ネットワークの連結ポイントを特定するための情報である。NAIは、ネットワークのアクセスを特定するための情報である。
【００６５】
Femto APは、Location Update RequestをUEから受信したため、CSサービスの位置登録と判断し、“0CS0<UE_IMSI>/<Femto_IMSI>@realmname”のNAIを送信する。“0CS0”は、CSサービスの位置登録である旨を意味する情報である。“<UE_IMSI>”は、UEを特定するための情報であり、ステップS3で受信したIDENTITY Responseに含まれていたIMSI.UEである。“<Femto_IMSI>”は、Femto APを特定するための情報である。
【００６６】
PDGは、IKE-AUTH Requestを受信した場合に、Dia-EAP-RequestをAAAに送信する（ステップS9）。PDGは、IKE-AUTH Requestに含まれているNAIをDia-EAP-Requestに含めて送信する。Dia-EAPは、Diameter-Extensible Authentication Protocolである。
【００６７】
AAAは、Dia-EAP-Requestを受信した場合に、Dia-EAP-Requestに含まれているNAIを基に、CSサービスの位置登録か、または、PSサービスの位置登録か、または、PDP Activateか、を判断する。AAAは、CSサービスの位置登録と判断した場合に、Dia-Wx-MARをHSSに送信する（ステップS10）。Dia-Wx-MARは、Diameter-Wx-Multimedia Authentication Requestである。
【００６８】
AAAは、NAIが“0CS0<UE_IMSI>/<Femto_IMSI>@realmname”であるため、CSサービスの位置登録であると判断し、Dia-EAP-Requestに含まれているNAIのIMSI.UEをDia-Wx-MARに含めて送信する。
【００６９】
HSSは、Dia-Wx-MARを受信した場合に、MAP-SAI invocation[CS]をHLR/AuCに送信する（ステップS11）。MAP-SAIは、MAP-Send Authentication Informationである。［CS］は、Circuit Switchingの意味である。HSSは、Dia-Wx-MARに含まれているIMSI.UEをMAP-SAI invocation[CS]に含めて送信する。
【００７０】
HLR/AuCは、MAP-SAI invocation[CS]を受信した場合に、MAP-SAI AckをHSSに送信する（ステップS12）。HLR/AuCは、MAP-SAI invocation[CS]に含まれているIMSI.UEに対応するRAND/AUTN/CK/IK/XRESを取得し、その取得したRAND/AUTN/CK/IK/XRESをMAP-SAI Ackに含めて送信する（ステップS12）。
【００７１】
RAND/AUTN/CK/IK/XRESは、3GPPに準拠した情報である。RANDは、Random challengeであり、AUTNは、Authentication Tokenであり、CKは、Cipher Keyであり、IKは、Integrity Keyであり、XRESは、Expected RESponseである。
【００７２】
なお、本処理動作では、HLR/AuCは、RAND/AUTN/CK/IK/XRESをMAP-SAI Ackに含めて送信することにした(EAP-AKA認証)。しかし、RAND/AUTN/KC/RESをMAP-SAI Ackに含めて送信する場合もある(EAP-SIM認証)。EAP-AKA認証（UMTS認証)、EAP-SIM認証（GSM認証)は、UEが契約しているNWの能力によりHLR/AuCが選択することになる。
【００７３】
HSSは、MAP-SAI Ackを受信した場合に、Dia-Wx-MAAをAAAに送信する（ステップS13）。Dia-Wx-MAAは、Diameter-Wx-Multimedia Authentication Answerである。HSSは、MAP-SAI Ackに含まれているRAND/AUTN/CK/IK/XRESをDia-Wx-MAAに含めて送信する。
【００７４】
AAAは、Dia-Wx-MAAを受信した場合に、Dia-EAP-AnswerをPDGに送信する（ステップS14）。AAAは、Dia-Wx-MAAに含まれているRAND/AUTN/CK/IKをDia-EAP-Answerに含めて送信する。
【００７５】
PDGは、Dia-EAP-Answerを受信した場合に、IKE-AUTH ResponseをFemto APに送信する（ステップS15）。PDGは、EAP-Request/AKA-Challengeと、Dia-EAP-Answerに含まれているRAND/AUTN/CK/IKと、をIKE-AUTH Responseに含めて送信する。AKAは、Authentication and Key Agreementである。
【００７６】
Femto APは、IKE-AUTH Responseを受信した場合に、Authentication RequestをUEに送信する（ステップS16）。Femto APは、IKE-AUTH Responseに含まれているRAND/AUTNをAuthentication Requestに含めて送信する。
【００７７】
UEは、Authentication Requestを受信した場合に、そのAuthentication Requestに含まれているRAND/AUTNを基に、認証演算を行う（ステップS17）。認証演算は、3GPPに準拠した方法で行う。
【００７８】
UEは、RESを算出し、その算出したRESをAuthentication Responseに含めてFemto APに送信する（ステップS18）。RESの算出は、3GPPに準拠した方法で行う。
【００７９】
Femto APは、Authentication Responseを受信した場合に、IKE-AUTH RequestをPDGに送信する（ステップS19）。Femto APは、EAP-Response/AKA-Challengeと、Authentication Responseに含まれているRESと、をIKE-AUTH Requestに含めて送信する。
【００８０】
PDGは、IKE-AUTH Requestを受信した場合に、Dia-EAP-RequestをAAAに送信する（ステップS20）。PDGは、MAC（Message Authentication Code）を算出し、RES、MACをDia-EAP-Requestに含めて送信する。MACの算出は、3GPPに準拠した方法で行う。
【００８１】
AAAは、Dia-EAP-Requestを受信した場合に、UE認証を行う（ステップS21）。UE認証は、3GPPに準拠した方法で行う。
【００８２】
AAAは、UE認証が成功した場合に、Dia-EAP-AnswerをPDGに送信する（ステップS22）。AAAは、EAP-SuccessをDia-EAP-Answerに含めて送信する。
【００８３】
PDGは、Dia-EAP-Answerを受信した場合に、Dia-AA-RequestをAAAに送信する（ステップS23）。PDGは、APNをDia-AA-Requestに含めて送信する。
【００８４】
AAAは、Dia-AA-Requestを受信した場合に、Dia-AA-AnswerをPDGに送信する（ステップS24）。AAAは、IMSI.UEをDia-AA-Answerに含めて送信する。
【００８５】
PDGは、Dia-AA-Answerを受信した場合に、IKE-AUTH ResponseをFemto APに送信する（ステップS25）。PDGは、EAP-SuccessをIKE-AUTH Responseに含めて送信する。
【００８６】
Femto APは、IKE-AUTH Responseを受信した場合に、IKE-AUTH RequestをPDGに送信する（ステップS26）。
【００８７】
PDGは、IKE-AUTH Requestを受信した場合に、IKE-AUTH ResponseをFemto APに送信する（ステップS27）。
【００８８】
Femto APは、IKE-AUTH Responseを受信した場合に、Femto APとPDGとの間でIPsec Tunnel（2)を確立する（ステップS28）。
【００８９】
次に、Femto APは、INFORMATIONAL RequestをPDGに送信する（ステップS29）。
【００９０】
PDGは、INFORMATIONAL Requestを受信した場合に、INFORMATIONAL ResponseをFemto APに送信する（ステップS30）。
【００９１】
また、PDGは、Dia-ST-RequestをAAAに送信する（ステップS31）。
【００９２】
AAAは、Dia-ST-Requestを受信した場合に、Dia-ST-AnswerをPDGに送信する（ステップS32）。
【００９３】
PDGは、Dia-ST-Answerを受信した場合に、ステップS28で確立したIPsec Tunnel（2）を解放する（ステップS33）。
【００９４】
本実施形態では、UEは、正規ユーザであるため、Femto APのWhite Listを通過し、コアネットワーク側に受け入れられ、UE認証の処理を行うことになる。UE認証が完了した後は、ステップS28でFemto APとPDGとの間で確立したIPsec Tunnel（2）を確立しておく必要がないため、ステップS29〜ステップS32の処理を行い、テップS28で確立したIPsec Tunnel（2）を解放する（ステップS33）。これにより、不要なIPsec Tunnel（2）を解放し、リソースの有効活用を図ることが可能となる。
【００９５】
次に、Femto APは、SIP-REGISTERをCSCFに送信する（ステップS34）。Femto APは、IMSI.UEをSIP-REGISTERに含めてCSCFに送信する。
【００９６】
CSCFは、SIP-REGISTERを受信した場合に、Dia-Cx-UARをHSSに送信する（ステップS35）。
【００９７】
HSSは、Dia-Cx-UARを受信した場合に、Dia-Cx-UAAをCSCFに送信する（ステップS36）。
【００９８】
CSCFは、Dia-Cx-UAAを受信した場合に、Dia-Cx-SARをHSSに送信する（ステップS37）。CSCFは、IMSI.UEをDia-Cx-SARに含めて送信する。
【００９９】
HSSは、Dia-Cx-SARを受信した場合に、MAP Update Location invocationをHLR/AuCに送信する（ステップS38）。HSSは、IMSI.UEをMAP Update Location invocationに含めて送信する。
【０１００】
HLR/AuCは、MAP Update Location invocationを受信した場合に、MAP Cancel Location invocationをMSCに送信する（ステップS39）。HLR/AuCは、IMSI.UEをMAP Cancel Location invocationに含めて送信する。
【０１０１】
MSCは、MAP Cancel Location invocationを受信した場合に、対象加入者データを消去する（ステップS40）。
【０１０２】
次に、MSCは、MAP Cancel Location AckをHLR/AuCに送信する（ステップS41）。
【０１０３】
HLR/AuCは、MAP Cancel Location Ackを受信した場合に、MAP-Insert Subscriber Data invocationをHSSに送信する（ステップS42）。MAP-Insert Subscriber Data invocationには、加入者情報が含まれている。
【０１０４】
HSSは、MAP-Insert Subscriber Data invocationを受信した場合に、そのMAP-Insert Subscriber Data invocationに含まれる加入者情報を基に、加入者データを作成する（ステップS43）。HSSは、加入者データをVLRに登録して管理する。
【０１０５】
次に、HSSは、MAP-Insert Subscriber Data AckをHLR/AuCに送信する（ステップS44）。
【０１０６】
HRL/AuCは、MAP-Insert Subscriber Data Ackを受信した場合に、MAP-Update Location AckをHSSに送信する（ステップS45）。
【０１０７】
MSCは、ステップS40で対象加入者データを消去した後に、その消去した加入者データが登録されているVLRから加入者データを削除する（ステップS46）。
【０１０８】
HSSは、MAP-Update Location Ackを受信した場合に、Dia-Cx-SAAをCSCFに送信する（ステップS47）。HSSは、MSISDNをDia-Cx-SAAに含めて送信する。
【０１０９】
CSCFは、Dia-Cx-SAAを受信した場合に、SIP-200 OKをFemto APに送信する（ステップS48）。CSCFは、MSISDNをSIP-200 OKに含めて送信する。
【０１１０】
Femto APは、SIP-200 OKを受信した場合に、Security Mode CommandをUEに送信する（ステップS49）。
【０１１１】
UEは、Security Mode Commandを受信した場合に、秘匿を行う（ステップS50）。秘匿の処理は、3GPPに準拠した方法で行う。
【０１１２】
UEは、Security Mode CompleteをFemto APに送信する（ステップS51）。
【０１１３】
Femto APは、Security Mode Completeを受信した場合に、TMSI（Temporary Mobile Subscriber Identities）の捕捉を行う（ステップS52）。TMSIの捕捉は、3GPPに準拠した方法で行う。
【０１１４】
Femto APは、CSCFとの間でメッセージを送受信し、確認処理を行う（ステップS53/SIP-SUBSCRIBE、SIP-200 OK、SIP-NOTIFY、SIP-200 OK）。
【０１１５】
また、Femto APは、Location Update AcceptをUEに送信する（ステップS54）。Femto APは、new TMSIをLocation Update Acceptに含めて送信する。
【０１１６】
UEは、Location Update Acceptを受信した場合に、TMSI Reallocation CompleteをFemto APに送信する（ステップS55）。
【０１１７】
このように、本実施形態の通信システムは、UEが正規ユーザの場合は、Femto APのWhite Listを通過し、コアネットワーク側に受け入れられ、UE、Femto AP、PDG、AAA、HSS、HLR/AuCとの間でメッセージを送受信し、UEの認証処理を行い、UEの認証が成功した場合に、Femto APとPDGとの間でIPsec Tunnel（2）を確立する（ステップS1〜S28）。そして、そのUEの認証処理でFemto APとPDGとの間で確立したIPsec Tunnel（2）を解放する（ステップS29〜S33）。その後、Femto AP、PDG、CSCF、HSS、MSC、HLR/AuCとの間でメッセージを送受信し、MSCのVLRで管理しているUEの加入者データをHSSに移動し、HSSのVLRにUEの加入者データを登録する（ステップS34〜S43）。これにより、UEが正規ユーザの場合は、CSサービスの位置登録の際に、Femto APを介してUEの認証処理を行い、HSSのVLRにUEの加入者データを登録することが可能となる。なお、上記処理は、CSサービスの位置登録を例として説明したが、UEがAttach Request、RA Update Request、Activate PDP Context Requestを送信した場合も、UEが正規ユーザの場合は、Femto APのWhite Listを通過し、コアネットワーク側に受け入れられることになる。
【０１１８】
＜国際ローミングユーザ（協定内、協定外）、プリペイドユーザ、MVNOユーザの場合の位置登録規制＞
次に、図７を参照しながら、国際ローミングユーザ（協定内、協定外）、プリペイドユーザ、MVNOユーザの場合の位置登録規制について説明する。国際ローミングユーザ（協定内、協定外）、プリペイドユーザ、MVNOユーザの場合は、Femto APで管理するWhite Listで位置登録規制が行われることになる。
【０１１９】
UEは、LAI（Location Area Information）の更新（normal location updating）を行う場合に、IMSI.UEをIDENTITY Responseに含めてFemto APに送信する（ステップS1〜S3）。
【０１２０】
Femto APは、IDENTITY Responseを受信した場合に、IDENTITY Responseに含まれるIMSI.UEを基に、White Listを参照し、IMSI.UEがコアネットワーク側に受け入れるユーザに該当するか否かを判定する（ステップS4）。Femto APは、IMSI.UEがコアネットワーク側に受け入れるユーザに該当しない場合は、Location Update Reject（Cause Value；CV#15）をUEに送信する（ステップA1）。CV#15は、Macro網側への迂回をUEに促すためのメッセージである。国際ローミングユーザ（協定内、協定外）、プリペイドユーザ、MVNOユーザの場合は、IMSI帯で区別できるため、これらのユーザのIMSI帯をWhite Listで管理しないようにすることで、Location Update Reject（Cause Value；CV#15）をUEに送信することが可能となる。
【０１２１】
UEは、Location Update Reject（Cause Value；CV#15）を受信した場合に、Femto IMS網を介した位置登録ができないと判断し、Macro網（既存3G網）側に接続するための位置登録処理を行うことになる。
【０１２２】
このように、本実施形態の通信システムは、国際ローミングユーザ（協定内、協定外）、プリペイドユーザ、MVNOユーザの場合は、Femto APで管理するWhite Listで位置登録規制が行われ、コアネットワーク側に受け入れられないことになる。この場合、Femto APは、Location Update Reject（Cause Value；CV#15）をUEに送信する。これにより、UEは、Location Update Reject（Cause Value；CV#15）を受信し、Macro網（既存3G網）側に接続するための位置登録処理を行うことになる。
【０１２３】
＜解約ユーザの場合の位置登録規制＞
次に、図８を参照しながら、解約ユーザの場合の位置登録規制について説明する
【０１２４】
図８に示すS1〜S11までの処理は、正規ユーザの場合と同様な処理を行い、Femto APのWhite Listを通過し、コアネットワーク側に受け入れられることになる。そして、HSSは、Dia-Wx-MARを受信した場合に、Dia-Wx-MARに含まれているIMSI.UEをMAP-SAI invocation[CS]に含めてHLR/AuCに送信する（ステップS11）。
【０１２５】
HLR/AuCは、MAP-SAI invocation[CS]を受信した場合に、MAP-SAI invocation[CS]に含まれるIMSI.UEがHLRに登録されているか否かを判断し、IMSI.UEがHLRに登録されていない場合に、解約ユーザと判断し、MAP-SAI ErrorをHSSに送信する（ステップB1）。本動作では、UEは解約ユーザであるため、HLRにIMSI.UEに関する情報が登録されていない。このため、HLR/AuCは、MAP-SAI ErrorをHSSに送信する。
【０１２６】
HSSは、MAP-SAI Errorを受信した場合に、Dia-Wx-MAAをAAAに送信する（ステップB2）。HSSは、DIAMETER_UNABLE_TO_COMPLY(5012)をDia-Wx-MAAに含めて送信する。
【０１２７】
AAAは、Dia-Wx-MAAを受信した場合に、Dia-EAP-AnswerをPDGに送信する（ステップB3）。AAAは、Dia-Wx-MAAに含まれているDIAMETER_UNABLE_TO_COMPLY(5012)をDia-EAP-Answerに含めて送信する。
【０１２８】
PDGは、Dia-EAP-Answerを受信した場合に、IKE-AUTH ResponseをFemto APに送信する（ステップB4）。PDGは、Dia-EAP-AnswerにDIAMETER_UNABLE_TO_COMPLY（5012）が含まれているため、EAP-FailureをIKE-AUTH Responseに含めて送信する。
【０１２９】
Femto APは、IKE-AUTH Responseを受信した場合に、IKE-AUTH ResponseにEAP-Failureが含まれているため、Location Update Reject（Cause Value；CV#111）をUEに送信する（ステップB5）。CV#111は、再度の位置登録をUEに促すためのメッセージである。
【０１３０】
UEは、Location Update Reject（Cause Value；CV#111）を受信した場合に、再度の位置登録処理を行うことになる。
【０１３１】
このように、本実施形態の通信システムは、解約ユーザの場合は、HLR/AuCがMAP-SAI ErrorをHSSに送信し、HSSは、MAP-SAI ErrorをHLR/AuCから受信したのを契機に、HDIAMETER_UNABLE_TO_COMPLY（5012）をDia-Wx-MAAに含めてCSCFに送信し、位置登録規制を行うことになる。その結果、Femto APは、コアネットワーク側からEAP-Failureを含むIKE-AUTH Responseを受信し、Location Update Reject（Cause Value；CV#111）をUEに送信することになる。これにより、UEは、Location Update Reject（Cause Value；CV#111）を受信し、再度の位置登録処理を行うことになる。
【０１３２】
＜認証NGユーザの場合の位置登録規制＞
対に、図９を参照しながら、認証NGユーザの場合の位置登録規制について説明する。
【０１３３】
認証NGユーザの場合は、正規ユーザの場合と同様な処理を行い、Femto APのWhite Listを通過し、コアネットワーク側に受け入れられ、UE、Femto AP、PDG、AAA、HSS、HLR/AuCとの間でメッセージを送受信し、UEの認証処理を行うことになる（ステップS21）。
【０１３４】
AAAは、UE認証が失敗した場合に、Dia-EAP-AnswerをPDGに送信する（ステップC1）。AAAは、UE認証が失敗したため、DIAMETER_UNABLE_TO_COMPLY(5012)をDia-EAP-Answerに含めて送信する。
【０１３５】
PDGは、Dia-EAP-Answerを受信した場合に、IKE-AUTH ResponseをFemto APに送信する（ステップC2）。PDGは、Dia-EAP-AnswerにDIAMETER_UNABLE_TO_COMPLY(5012)が含まれているため、EAP-FailureをIKE-AUTH Responseに含めて送信する。
【０１３６】
Femto APは、IKE-AUTH Responseを受信した場合に、IKE-AUTH ResponseにEAP-Failureが含まれているため、Location Update Reject（Cause Value；CV#111）をUEに送信する（ステップC3）。CV#111は、再度の位置登録をUEに促すためのメッセージである。
【０１３７】
UEは、Location Update Reject（Cause Value；CV#111）を受信した場合に、再度の位置登録処理を行うことになる。
【０１３８】
このように、本実施形態の通信システムは、認証NGユーザの場合は、AAAがDIAMETER_UNABLE_TO_COMPLY（5012）を含むDia-EAP-AnswerをPDGに送信し、位置登録規制を行うことになる。その結果、Femto APは、コアネットワーク側からEAP-Failureを含むIKE-AUTH Responseを受信し、Location Update Reject（Cause Value；CV#111）をUEに送信することになる。これにより、UEは、Location Update Reject（Cause Value；CV#111）を受信し、再度の位置登録処理を行うことになる。
【０１３９】
＜VPNユーザ、ダブルナンバーユーザの場合の位置登録規制＞
次に、図１０を参照しながら、VPNユーザ、ダブルナンバーユーザの場合の位置登録規制について説明する。
【０１４０】
VPNユーザ、ダブルナンバーユーザの場合は、正規ユーザの場合と同様な処理を行い、Femto APのWhite Listを通過し、コアネットワーク側に受け入れられ、UE、Femto AP、PDG、AAA、HSS、HLR/AuCとの間でメッセージを送受信し、UEの認証処理を行い、UEの認証が成功した場合に、Femto APとPDGとの間でIPsec Tunnel（2）を確立する（ステップS1〜S28）。そして、そのUEの認証処理でFemto APとPDGとの間で確立したIPsec Tunnel（2）を解放する（ステップS29〜S33）。その後、Femto AP、PDG、CSCF、HSS、VMSC、HLR/AuCとの間でメッセージを送受信することになる。
【０１４１】
HSSは、Dia-Cx-SARをCSCFから受信した場合に、MAP Update Location invocationをHLR/AuCに送信する（ステップD1）。HSSは、IMSI.UEをMAP Update Locationに含めて送信する。
【０１４２】
HLR/AuCは、MAP Update Location invocationを受信した場合に、MAP Cancel Location invocationをVMSCに送信する（ステップD2）。HLR/AuCは、IMSI.UEをMAP Cancel Location invocationに含めて送信する。
【０１４３】
VMSCは、MAP Cancel Location invocationを受信した場合に、対象加入者データを消去する（ステップD3）。
【０１４４】
次に、VMSCは、MAP Cancel Location AckをHLR/AuCに送信する（ステップD4）。
【０１４５】
HLR/AuCは、MAP Cancel Location Ackを受信した場合に、MAP-Insert Subscriber Data invocationをHSSに送信する（ステップD5）。MAP-Insert Subscriber Dataには、加入者情報が含まれている。
【０１４６】
HSSは、MAP-Insert Subscriber Data invocationを受信した場合に、そのMAP-Insert Subscriber Data invocationに含まれる加入者情報が、O-CSIユーザであるため、HSSは、HSSの通信システムでは提供しないサービスに加入したユーザと判断する。このため、HSSは、MAP-Insert Subscriber Data ErrorをHLR/AuCに送信する（ステップD6）。このように、HSSは、MAP-Insert Subscriber Data invocationに含まれる加入者情報が、当該通信システムでは提供しないサービスに加入したユーザと判断した場合は、MAP-Insert Subscriber Data ErrorをHLR/AuCに送信する。
【０１４７】
HRL/AuCは、MAP-Insert Subscriber Data Errorを受信した場合に、MAP-SAI AckをHSSに送信する（ステップD7）。
【０１４８】
VMSCは、ステップD3で対象加入者データを消去した後に、その消去した加入者データが登録されているVLRから加入者データを削除する（ステップD8）。
【０１４９】
HSSは、MAP-SAI Ackを受信した場合に、Dia-Cx-SAAをCSCFに送信する（ステップD9）。HSSは、DIAMETER_UNABLE_TO_COMPLY（5012）をDia-Cx-SAAに含めて送信する。
【０１５０】
CSCFは、Dia-Cx-SAAを受信した場合に、Dia-Cx-SAAにDIAMETER_UNABLE_TO_COMPLY（5012）が含まれているため、SIP-403をFemto APに送信する（ステップD10）。
【０１５１】
Femto APは、SIP-403を受信した場合に、Location Update Reject（Cause Value；CV#15）をUEに送信する（ステップD11）。CV#15は、Macro網側への迂回をUEに促すためのメッセージである。
【０１５２】
UEは、Location Update Reject（Cause Value；CV#15）を受信した場合に、Femto IMS網を介した位置登録処理ができないと判断し、Macro網（既存3G網）側に接続するための位置登録処理を行うことになる。
【０１５３】
このように、本実施形態の通信システムは、VPNユーザ、ダブルナンバーユーザの場合は、HSSが、MAP Update Location invocationをHLR/AuCに送信した後に、MAP-Insert Subscriber Data invocationをHLR/AuCから受信したのを契機に、位置登録規制を行うことになり、HSSは、MAP-Insert Subscriber Data ErrorをHLR/AuCに送信することになる。そして、HSSは、HLR/AuCからMAP-SAI Ackを受信した場合に、DIAMETER_UNABLE_TO_COMPLY（5012）をDia-Cx-SAAに含めてCSCFに送信する。その結果、Femto APは、コアネットワーク側からSIP-403を受信し、Location Update Reject（Cause Value；CV#15）をUEに送信することになる。これにより、UEは、Location Update Reject（Cause Value；CV#15）を受信し、Macro網（既存3G網）側に接続するための位置登録処理を行うことになる。
【０１５４】
＜本実施形態の通信システムの作用・効果＞
このように、本実施形態の通信システムは、正規ユーザの場合は、位置登録規制を行わないように制御し、図４〜図６に示す正常な処理を行い、Femto APは、UEにLocation  Update Acceptを送信するように制御する。また、国際ローミングユーザ（協定内、協定外）、プリペイドユーザ、MVNOユーザの場合は、Femto APのWhite Listで位置登録規制を行い、UEにLocation Update Reject（CV#15）を送信するように制御する。また、VPNユーザ、ダブルナンバーユーザの場合は、HSSがMAP-Insert Subscriber Data invocationをHLR/AuCから受信したのを契機に、位置登録規制を行い、Femto APは、UEにLocation Update Reject（CV#15）を送信するように制御する。また、解約済ユーザの場合は、HSSがMAP-SAI ErrorをHLR/AuCから受信したのを契機に、位置登録規制を行い、Femto APは、UEにLocation Update Reject（CV#111）を送信するように制御する。また、認証NGユーザの場合は、AAAが認証NGと判断したのを契機に、位置登録規制を行い、Femto APは、UEにLocation Update Reject（CV#111）を送信するように制御する。
【０１５５】
これにより、本実施形態の通信システムは、Femto APは、再度の位置登録をUEに促すメッセージ（Location Update Reject;CV#111）をUEに送信すべきか、Macro網側への迂回をUEに促すメッセージ（Location Update Reject;CV#15）をUEに送信すべきか、位置登録要求に応じる旨をUEに促すメッセージ(Location Update Accept)をUEに送信すべきか、を判断し、何れかのメッセージ（Location Update Reject;CV#111,OR,Location Update Reject;CV#15,OR,Location Update Accept）をUEに送信することになる。そして、UEは、Femto APから受け付けたメッセージ（Location Update Reject;CV#111,OR,Location Update Reject;CV#15,OR,Location Update Accept）に応じた位置登録処理を行うことになる。
【０１５６】
その結果、本実施形態の通信システムは、IMSで許容していない加入者ユーザ（UE）に対しては、Macro網側への迂回を加入者ユーザ（UE）に促し、無駄な位置登録処理を規制することが可能となる。
【０１５７】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１５８】
例えば、上述した実施形態では、Femto APは、White Listを用いて位置登録規制を行うことにした、しかし、Black Listを用いて位置登録規制を行うように構築することも可能である。
【０１５９】
また、上述した実施形態では、Femto APは、UEにCV#111やCV#15等のCause値を送信することにしたが、UEに送信するCause値は、CV#111やCV#15に限定するものではなく、再度の位置登録をUEに促すメッセージか、マクロ網側への迂回をUEに促すメッセージかを区別することが可能であれば、あらゆるCause値を任意に設定して適用することが可能である。また、再度の位置登録をUEに促すメッセージか、マクロ網側への迂回をUEに促すメッセージかを区別することが可能であれば、Cause値を用いないように構築することも可能である。
【０１６０】
また、本実施形態における通信システムは、3GPPのVersionには依存せずに処理を行うことが可能である。
【０１６１】
また、上述した本実施形態における通信システムを構成する各装置における制御動作は、ハードウェア、または、ソフトウェア、あるいは、両者の複合構成を用いて実行することも可能である。
【０１６２】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【０１６３】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【０１６４】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【０１６５】
また、本実施形態における通信システムは、上記実施形態で説明した処理動作に従って時系列的に処理を実行するのみならず、処理を実行する装置の処理能力、あるいは、必要に応じて並列的にあるいは個別に処理を実行するように構築することも可能である。
【０１６６】
また、本実施形態における通信システムは、複数の装置の論理的集合構成にしたり、各構成の装置が同一筐体内に存在する構成にしたりするように構築することも可能である。
【産業上の利用可能性】
【０１６７】
本発明は、フェムトセル用基地局を用いたサービスに適用可能である。
【符号の説明】
【０１６８】
UE    User Equipment
RNC    Radio Network Controller
MSC    Mobile Services Switching Centre
VLR    Visitor Location Register
HLR/AuC    Home Location Register/AUthentication Centre
Femto AP    Femto Access Point（フェムトセル用基地局）
PDG    Packet Data Gateway
AAA    Authentication Authorization Accounting（認証装置）
CSCF    Call Session Control Function
HSS    Home Subscriber Server（管理装置）
【図１】
2010251861.tif 000003
【図２】
2010251861.tif 000004
【図３】
2010251861.tif 000005
【図４】
2010251861.tif 000006
【図５】
2010251861.tif 000007
【図６】
2010251861.tif 000008
【図７】
2010251861.tif 000009
【図８】
2010251861.tif 000010
【図９】
2010251861.tif 000011
【図１０】
2010251861.tif 000012